(57)【要約】【課題】少ない空調エネルギーで快適な室内環境を実現しうる。【解決手段】建物Ｈの排熱処理構造である。建物Ｈは、開口部１０の屋外Ｓｏ側に配された外側サッシ１２と、開口部１０の屋内Ｓｉ側に配された内側サッシ１３とを有する二重サッシ１１を具える。排熱処理構造は、外側サッシ１２と内側サッシ１３との間のサッシ空間１４に介在する日射によって暖められた暖空気Ａｗを、屋外Ｓｏに排出するサッシ熱排出手段２１を有する。【選択図】図２
2013155960.tif 000002
【特許請求の範囲】
【請求項１】
建物の排熱処理構造であって、
前記建物は、開口部の屋外側に配された外側サッシと、前記開口部の屋内側に配された内側サッシとを有する二重サッシを具え、
前記外側サッシと前記内側サッシとの間のサッシ空間に介在する日射によって暖められた暖空気を、屋外に排出するサッシ熱排出手段を有することを特徴とする建物の排熱処理構造。
【請求項２】
前記建物は、建物内の居室に外気を供給する外気供給装置と、熱を蓄え可能でありかつ前記外気を暖める蓄熱手段とを具え、
前記サッシ空間に介在する前記暖空気を前記蓄熱手段に供給するサッシ熱利用手段を有する請求項１に記載の建物の排熱処理構造。
【請求項３】
前記外側サッシ及び前記内側サッシは、前記開口部に固着されるサッシ枠によって保持され、
前記サッシ枠は、前記開口部の上縁に配される上枠と、下縁に配される下枠と、幅方向の両縁に配される一対の側枠とを含み、
前記サッシ熱排出手段は、前記サッシ空間において、前記下枠で開口しかつ前記サッシ空間に空気を供給する供給口を有する第１流路と、
一端が屋外に連通するとともに、他端に前記上枠で開口する排気口が設けられる第２流路とを含む請求項１又は２に記載の建物の排熱処理構造。
【請求項４】
前記サッシ熱利用手段は、一端が前記サッシ空間に連通するとともに、他端が前記蓄熱手段に連通する第３流路を含み、
前記第３流路は、前記暖空気を前記サッシ空間の上方から取り込む請求項３に記載の建物の排熱処理構造。
【請求項５】
前記建物は、冷蔵庫が設置される収納空間を具え、
前記収納空間は、前記冷蔵庫から排出される排熱を、屋外に排気する冷蔵庫熱排出手段を有する請求項１乃至４のいずれかに記載の建物の排熱処理構造。
【請求項６】
前記収納空間は、前記冷蔵庫の前記排熱を居室に送る冷蔵庫熱居室供給手段を有する請求項５に記載の建物の排熱処理構造。
【請求項７】
前記収納空間は、前記冷蔵庫の前記排熱を前記蓄熱手段に供給する冷蔵庫熱利用手段を有する請求項５又は６に記載の建物の排熱処理構造。
【請求項８】
前記収納空間は、床材と、天井と、前記冷蔵庫の両外側を覆う一対の側壁と、前記冷蔵庫の背面を覆う後壁と、前記後壁の前方に配されかつ前記天井から垂下する垂壁とを含み、
前記冷蔵庫熱排出手段は、一端が屋外に連通するとともに、他端に前記後壁の上部で開口する排気口が設けられる第４流路を含む請求項５乃至７のいずれかに記載の建物の排熱処理構造。
【請求項９】
前記冷蔵庫熱居室供給手段は、前記垂壁の上部において、一端が前記収納空間に連通するとともに、他端が居室に連通する第５流路を含む請求項８に記載の建物の排熱処理構造。
【請求項１０】
前記冷蔵庫熱利用手段は、一端が前記収納空間に連通するとともに、他端が前記蓄熱手段に連通する第６流路を含み、
前記第６流路は、前記排熱を前記収納空間の上方から取り込む請求項８又は９に記載の建物の排熱処理構造。
【請求項１１】
前記建物は、熱損失係数であるＱ値が０．８〜１．４に設定された高断熱建物である請求項１乃至１０のいずれかに記載の建物の排熱処理構造。
【発明の詳細な説明】
【技術分野】
【０００１】
本発明は、少ない空調エネルギーで快適な室内環境を実現しうる排熱処理構造に関する。
【背景技術】
【０００２】
建物の断熱性能を高めるために、該建物の開口部には、例えば、屋外側に配された外側サッシと、前記開口部の屋内側に配された内側サッシとを有する二重サッシが設けられている。このような二重サッシは、外側サッシと内側サッシとの間のサッシ空間に空気層を形成し、断熱性能を向上しうる。なお、関連する文献としては次のものがある。
【先行技術文献】
【特許文献】
【０００３】
【特許文献１】特開２００７−３０８９７１号公報
【発明の概要】
【発明が解決しようとする課題】
【０００４】
しかしながら、二重サッシに強い日差しが照りつけられると、サッシ空間の空気が暖められて熱溜りが生じ、それにより居室の温度等が上昇しやすいという問題があった。特に、近年の高断熱性能の高い建物にあっては、居室の温度の上昇が顕著に現れる傾向がある。
【０００５】
本発明は、以上のような実状に鑑み案出されたもので、外側サッシと内側サッシとの間のサッシ空間に介在する日射によって暖められた暖空気を、屋外に排出するサッシ熱排出手段を具えることを基本として、少ない空調エネルギーで快適な室内環境を実現しうる建物の排熱処理構造を提供することを主たる目的としている。
【課題を解決するための手段】
【０００６】
本発明のうち請求項１記載の発明は、建物の排熱処理構造であって、前記建物は、開口部の屋外側に配された外側サッシと、前記開口部の屋内側に配された内側サッシとを有する二重サッシを具え、前記外側サッシと前記内側サッシとの間のサッシ空間に介在する日射によって暖められた暖空気を、屋外に排出するサッシ熱排出手段を有することを特徴とする。
【０００７】
また、請求項２記載の発明は、前記建物は、建物内の居室に外気を供給する外気供給装置と、熱を蓄え可能でありかつ前記外気を暖める蓄熱手段とを具え、前記サッシ空間に介在する前記暖空気を前記蓄熱手段に供給するサッシ熱利用手段を有する請求項１に記載の建物の排熱処理構造である。
【０００８】
また、請求項３記載の発明は、前記外側サッシ及び前記内側サッシは、前記開口部に固着されるサッシ枠によって保持され、前記サッシ枠は、前記開口部の上縁に配される上枠と、下縁に配される下枠と、幅方向の両縁に配される一対の側枠とを含み、前記サッシ熱排出手段は、前記サッシ空間において、前記下枠で開口しかつ前記サッシ空間に空気を供給する供給口を有する第１流路と、一端が屋外に連通するとともに、他端に前記上枠で開口する排気口が設けられる第２流路とを含む請求項１又は２に記載の建物の排熱処理構造である。
【０００９】
また、請求項４記載の発明は、前記サッシ熱利用手段は、一端が前記サッシ空間に連通するとともに、他端が前記蓄熱手段に連通する第３流路を含み、前記第３流路は、前記暖空気を前記サッシ空間の上方から取り込む請求項３に記載の建物の排熱処理構造である。
【００１０】
また、請求項５記載の発明は、前記建物は、冷蔵庫が設置される収納空間を具え、前記収納空間は、前記冷蔵庫から排出される排熱を、屋外に排気する冷蔵庫熱排出手段を有する請求項１乃至４のいずれかに記載の建物の排熱処理構造である。
【００１１】
また、請求項６記載の発明は、前記収納空間は、前記冷蔵庫の前記排熱を居室に送る冷蔵庫熱居室供給手段を有する請求項５に記載の建物の排熱処理構造である。
【００１２】
また、請求項７記載の発明は、前記収納空間は、前記冷蔵庫の前記排熱を前記蓄熱手段に供給する冷蔵庫熱利用手段を有する請求項５又は６に記載の建物の排熱処理構造である。
【００１３】
また、請求項８記載の発明は、前記収納空間は、床材と、天井と、前記冷蔵庫の両外側を覆う一対の側壁と、前記冷蔵庫の背面を覆う後壁と、前記後壁の前方に配されかつ前記天井から垂下する垂壁とを含み、前記冷蔵庫熱排出手段は、一端が屋外に連通するとともに、他端に前記後壁の上部で開口する排気口が設けられる第４流路を含む請求項５乃至７のいずれかに記載の建物の排熱処理構造である。
【００１４】
また、請求項９記載の発明は、前記冷蔵庫熱居室供給手段は、前記垂壁の上部において、一端が前記収納空間に連通するとともに、他端が居室に連通する第５流路を含む請求項８に記載の建物の排熱処理構造である。
【００１５】
また、請求項１０記載の発明は、前記冷蔵庫熱利用手段は、一端が前記収納空間に連通するとともに、他端が前記蓄熱手段に連通する第６流路を含み、前記第６流路は、前記排熱を前記収納空間の上方から取り込む請求項８又は９に記載の建物の排熱処理構造である。
【００１６】
また、請求項１１記載の発明は、前記建物は、熱損失係数であるＱ値が０．８〜１．４に設定された高断熱建物である請求項１乃至１０のいずれかに記載の建物の排熱処理構造である。
【発明の効果】
【００１７】
本発明の建物の排熱処理構造では、その建物が、開口部の屋外側に配された外側サッシと、前記開口部の屋内側に配された内側サッシとを有する二重サッシを具える。このような二重サッシは、外側サッシと内側サッシとの間のサッシ空間に空気層を形成し、断熱性能を向上しうる。
【００１８】
また、建物の排熱処理構造は、外側サッシと内側サッシとの間のサッシ空間に介在する日射によって暖められた暖空気を、屋外に排出するサッシ熱排出手段を有する。このようなサッシ熱排出手段は、サッシ空間の暖空気によって熱溜りが生じるを抑制でき、その熱溜りに起因する居室の温度の上昇を防ぎうる。従って、本発明の建物の排熱処理構造は、少ない空調エネルギーで快適な室内環境を実現しうる。
【図面の簡単な説明】
【００１９】
【図１】本実施形態の建物の排熱処理構造が適用された建物を示す断面図である。
【図２】二重サッシを概念的に示す斜視図である。
【図３】二重サッシの断面図である。
【図４】ブラインドを有する二重サッシの断面図である。
【図５】図３のＡ−Ａ断面図である。
【図６】遮蔽手段を示す平面図である。
【図７】（ａ）は他の実施形態の遮蔽手段の斜視図、（ｂ）は（ａ）の遮蔽手段が開いた状態を示す斜視図である。
【図８】冷蔵庫が設置される収納空間を示す斜視図である。
【図９】図８のＢ−Ｂ断面図である。
【図１０】図８のＣ−Ｃ断面図である。
【図１１】さらに他の実施形態の遮蔽手段を示す斜視図である。
【図１２】制御手段の概念図である。
【図１３】制御手順を示すフローチャートである。
【発明を実施するための形態】
【００２０】
以下、本発明の実施の一形態が図面に基づき説明される。
図１に示されるように、本実施形態の建物の排熱処理構造（以下、単に「排熱処理構造」ということがある）は、例えば、一般的な住宅やビル等の建物Ｈに用いられる。この建物Ｈは、例えば、熱損失係数であるＱ値（Ｗ/ｍ2・Ｋ）が０．８〜１．４に設定された高断熱建物として構成される。
【００２１】
また、建物Ｈは、例えば、該建物Ｈ内の居室に外気Ａｏを供給する外気供給装置２が設けられている。この外気供給装置２は、例えば、外気Ａｏを地中熱で熱交換するパイプ状の地中熱交換部２Ａと、該地中熱交換部２Ａから外気Ａｏを居室Ｌに供給する空気流路２Ｂとを含む。
【００２２】
このような外気供給装置２は、夏において、高温の外気Ａｏを地中熱交換部２Ａで冷却して空気流路２Ｂを介して居室Ｌに供給でき、また、冬においては、冷たい外気Ａｏを地中熱交換部２Ａで暖めて居室Ｌに供給できる。
【００２３】
従って、外気供給装置２は、例えば、エアコンのような大きなエネルギーを使用することなく居室Ｌを空調することができ、省エネルギー性を向上しうる。とりわけ、本実施形態のような高断熱性建物においては、地中熱交換部２Ａから供給された外気Ａｏの温度を効果的に保持できるため、省エネルギ−性を効果的に向上しうる。
【００２４】
また、本実施形態では、地中熱交換部２Ａと空気流路２Ｂとの間に、熱を蓄え可能な蓄熱手段３が設けられる。このような蓄熱手段３は、例えば、地中熱交換部２Ａで暖められた外気Ａｏをさらに暖めることができるため、例えば、寒さの厳しい冬において、居室Ｌを効率的に空調しうる。なお、蓄熱手段３としては、特に限定されないが、例えば、蓄熱レンガや、蓄熱タイル等を用いるものが好ましい。
【００２５】
図２及び図３に示されるように、前記建物Ｈの開口部１０には、屋外Ｓｏ側に配された外側サッシ１２と、前記開口部１０の屋内Ｓｉ側に配された内側サッシ１３とを有する二重サッシ１１が設けられる。このような二重サッシ１１は、外側サッシ１２と内側サッシ１３との間のサッシ空間１４に空気層を形成できるため、建物Ｈの断熱性能を向上しうる。
【００２６】
前記外側サッシ１２及び前記内側サッシ１３は、サッシ幅の略半分の大きさを有する一対の外側サッシ部１２ａ、１２ｂ、及び一対の内側サッシ部１３ａ、１３ｂからなり、引違い窓として構成される。これらの各サッシ部１２ａ、１２ｂ、１３ａ、１３ｂは、開口部１０に固着されるサッシ枠１６によって保持される。
【００２７】
前記サッシ枠１６は、前記開口部１０の上縁に配される上枠１６Ａと、下縁に配される下枠１６Ｂと、幅方向の両縁に配される一対の側枠１６Ｃ、１６Ｃとを含む。
【００２８】
前記上枠１６Ａ及び下枠１６Ｂには、屋外Ｓｏ側でサッシ空間１４に向かって突出し、かつサッシ幅方向に連続してのびる一対の外側レール部１７ａ、１７ｂ、及び屋内Ｓｉ側でサッシ空間１４に向かって突出し、かつサッシ幅方向に連続してのびる一対の内側レール部１８ａ、１８ｂがそれぞれ設けられる。
【００２９】
これらの外側レール部１７ａ、１７ｂ及び内側レール部１８ａ、１８ｂは、各外側サッシ部１２ａ、１２ｂ、及び各内側サッシ部１３ａ、１３ｂの各上下端をそれぞれ狭持し、かつサッシ幅方向にスライド可能に保持しうる。
【００３０】
また、図４に示されるように、サッシ空間１４には、複数の羽根板１９ａを上下方向に配置したブラインド１９が配されてもよい。このようなブラインド１９は、日射が居室Ｌに進入するのを防ぐことができる。また、ブラインド１９は、その両面が外側サッシ１２、及び内側サッシ１３に覆われるため、埃等の汚れの付着を抑制できる。
【００３１】
図２及び図３に示されるように、本実施形態の排熱処理構造は、サッシ空間１４に介在する日射によって暖められた暖空気Ａｗを、屋外Ｓｏに排出するサッシ熱排出手段２１を含む。
【００３２】
前記サッシ熱排出手段２１は、サッシ空間１４に空気Ａｃ（例えば、地中熱交換部２Ａから供給された外気Ａｏ）を供給する第１流路２２と、前記暖空気Ａｗを排気する第２流路２３とを含んで構成される。
【００３３】
前記第１流路２２は、例えば、一端が前記空気流路２Ｂと連通するとともに、他端にサッシ枠１６の下枠１６Ｂで開口する供給口２２ｏが設けられる。また、供給口２２ｏは、下枠１６Ｂにおいて、外側レール部１７ａ、１７ｂと内側レール部１８ａ、１８ｂとの間に形成され、例えばサッシ幅方向にのびる横長矩形状に形成される。
【００３４】
前記第２流路２３は、一端が屋外Ｓｏに連通するとともに、他端に上枠１６Ａで開口する排気口２３ｏが設けられる。また、排気口２３ｏは、上枠１６Ａにおいて、外側レール部１７ａ、１７ｂと内側レール部１８ａ、１８ｂとの間に形成され、例えば横長矩形状に形成される。
【００３５】
このようなサッシ熱排出手段２１は、第１流路２２からサッシ空間１４に前記空気Ａｃ（前記外気Ａｏ）を供給し、かつ該空気Ａｃとの温度差によって上昇する暖空気Ａｗを第２流路２３から排出することができる。これにより、サッシ熱排出手段２１は、例えば、日差しの強い夏において、サッシ空間１４に熱溜りが生じるのを抑制でき、その熱溜りに起因する居室Ｌの温度の上昇を防ぐことができる。従って、本発明の排熱処理構造は、少ない空調エネルギーで快適な室内環境を実現しうる。
【００３６】
とりわけ、本実施形態のような高断熱性建物においては、サッシ空間１４に熱溜りによって、居室Ｌの温度の上昇が顕著に現れる傾向がある。このため、高断熱性住宅にサッシ熱排出手段２１が設けられることにより、居室Ｌの温度上昇を効果的に防ぐことができる。
【００３７】
また、第２流路２３には、例えば、屋外Ｓｏ側に向かって送風するファンＦが設けられても良い。このようなファンＦは、暖空気Ａｗを第２流路２３から効率的に排出するのに役立つとともに、サッシ空間１４を負圧にして、第１流路２２から相対的に温度の低い空気Ａｃを供給でき、居室Ｌの温度の上昇を効果的に防ぎうる。
【００３８】
さらに、図６に示されるように、供給口２２ｏ及び排気口２３ｏには、開閉自在な遮蔽手段２６が設けられるのが望ましい。このような遮蔽手段２６は、季節等の環境に応じて、サッシ空間１４の暖空気Ａｗの排出や、空気Ａｃの供給を操作しうるとともに、供給口２２ｏ及び排気口２３ｏに異物が進入するのを防ぐことができる。
【００３９】
本実施形態の遮蔽手段２６は、複数のスリット状の孔部２７ａを有する基部２７、該基部２７の内部で該孔部２７ａを開閉する蓋部（図示省略）、及び該蓋部の開閉を切り替えるスイッチ２８とを有する公知のものが採用される。
【００４０】
また、遮蔽手段２６は、使用者がスイッチ２８を操作して直接開閉するものでもよいし、温度センサー等を具えた後述する制御手段４によって自動開閉するものでもよい。なお、制御手段４によって遮蔽手段２６を自動的に開閉するものである場合は、スイッチ２８の代わりに電磁弁等を用いてもよい。
【００４１】
図７（ａ）に示されるように、他の実施形態の遮蔽手段２６としては、供給口２２ｏ及び排気口２３ｏと略同一形状をなす１枚の羽板３０によって形成されてもよい。この羽板３０は、例えば、サッシ空間１４の温度が上昇すると異なる膨張を生じる２枚の金属板（図示省略）が重ね合わせて形成された、所謂バイメタルとして構成される。
【００４２】
また、羽板３０は、例えば、膨張率が相対的に小さい金属板をサッシ空間１４（図２に示す）に配置し、かつ膨張率が相対的に大きい金属板を供給口２２ｏ又は排気口２３ｏ側に配置して構成される。また、羽板３０は、サッシ奥行方向の一端が、上枠１６Ａ又は下枠１６Ｂに固着される。
【００４３】
このような羽板３０は、サッシ空間１４の温度が上昇すると、供給口２２ｏ及び排気口２３ｏを塞いだ状態から、図７（ｂ）に示されるように、サッシ空間１４（図２に示す）側にめくれ上がり、供給口２２ｏ及び排気口２３ｏを開口できる。従って、羽板３０は、使用者や制御手段４による開閉操作を必要としないため、居室Ｌの温度の上昇を確実に防ぎつつ、導入コストを抑えうる。
【００４４】
図２及び図５に示されるように、本実施形態では、サッシ空間１４に介在する暖空気Ａｗを、前記蓄熱手段３（図１に示す）に供給するサッシ熱利用手段３１が設けられる。このサッシ熱利用手段３１は、一端がサッシ空間１４に連通するとともに、他端が蓄熱手段３に連通する第３流路３２を含む。
【００４５】
前記第３流路３２は、サッシ空間１４を、下枠１６Ｂから上方にのびる一対の筒部３３、３３、及び一端が筒部３３、３３と連通しかつ他端が蓄熱手段３（図１に示す）と連通する案内部３４を含む。
【００４６】
前記一対の筒部３３、３３は、例えば平面視において、サッシ幅方向よりもサッシ奥行方向に長い角筒状に形成される。この一対の筒部３３、３３は、下枠１６Ｂから一対の側枠１６Ｃ、１６Ｃに沿って上方にのび、かつ上枠１６Ａに至ることなく終端する。また、一対の筒部３３、３３の上端には、それぞれ開口３３ｏ、３３ｏがそれぞれ設けられている。これにより、一対の筒部３３、３３は、サッシ幅方向の両側において、前記暖空気Ａｗを、サッシ空間１４の上方から効率的に取り込むことができる。
【００４７】
前記案内部３４は、下枠１６Ｂに設けられる一対の連通口３５、３５を介して、一対の筒部３３、３３と連通する一対の第１案内部３４Ａ、３４Ａ、及び一端が連結部３４Ｊを介して該一対の第１案内部３４Ａ、３４Ａと連通し、かつ他端が蓄熱手段３（図１に示す）と連通する第２案内部３４Ｂを含む。これにより、案内部３４は、一対に筒部３３、３３に取り込まれた暖空気Ａｗを、蓄熱手段３に直接供給することができる。
【００４８】
このようなサッシ熱利用手段３１は、日差しが比較的強くサッシ空間２４の温度が上昇する冬晴れの日において、暖空気Ａｗを利用して蓄熱手段３に熱を蓄えさせることができるため、例えば夜において、前記外気供給装置２が、蓄熱手段３で暖められた外気Ａｏを居室Ｌ１に供給でき、省エネルギー性を向上しうる。また、サッシ熱利用手段３１は、暖空気Ａｗをサッシ空間１４から排出できるため、冬晴れの日に生じがちな居室Ｌの温度上昇も防止できる。
【００４９】
また、サッシ熱利用手段３１には、蓄熱手段３側に向かって送風するファンＦが設けられても良い。このようなファンＦは、一対の筒部３３、３３から暖空気Ａｗを効率的に取り込むのに役立つとともに、第１流路２２から比較的温度の低い空気Ａｃを供給できるため、居室Ｌの温度上昇を防ぎうる。
【００５０】
さらに、下枠１６Ｂの一対の連通口３５、３５には、図６や図７に示した遮蔽手段２６が設けられるのが好ましい。このような遮蔽手段２６は、一対の連通口３５、３５を開閉することができるため、季節等の環境に応じて、暖空気Ａｗの蓄熱手段３への供給を操作できる点で望ましい。
【００５１】
なお、サッシ熱利用手段３１を使用する際には、排気口２３ｏが遮蔽手段２６によって閉じられるのが望ましい。これにより、暖空気Ａｗが排気口２３ｏから排気されるのを抑制でき、該暖空気Ａｗを蓄熱手段３に効率的に供給しうる。
【００５２】
また、サッシ熱利用手段３１を使用する場合、サッシ空間１４に、図４に示したブラインド１９を配置するのが望ましい。これにより、ブラインド１９が吸収した日射の熱を利用して、サッシ空間１４を効果的に暖めることができるため、より温度の高い暖空気Ａｗを蓄熱手段３に供給できる。
【００５３】
図１及び図８に示されるように、前記建物Ｈには、冷蔵庫４０が設置される収納空間４１が設けられる。
【００５４】
図８、図９及び図１０に示されるように、本実施形態の収納空間４１は、冷蔵庫４０が載置される床材４１Ａ、冷蔵庫４０の上方に配置される天井４１Ｂ、冷蔵庫４０の両外側を覆う一対の側壁４１Ｃ、４１Ｃ、冷蔵庫４０の背面を覆う後壁４１Ｄ、及び後壁４１Ｄの前方に配されかつ天井４１Ｂから垂下する垂壁４１Ｅによって形成される。
【００５５】
前記一対の側壁４１Ｃ、４１Ｃは、冷蔵庫４０の幅方向の距離Ｗ１が、該冷蔵庫４０の幅Ｗ２よりも大に設定される。さらに、床材４１Ａから垂壁４１Ｅの下端までの高さＨ１が、冷蔵庫４０の高さＨ２よりも大に設定される。これにより、収納空間４１には、冷蔵庫４０の両外側と一対の側壁４１Ｃ、４１Ｃとの間、及び冷蔵庫４０の上部と垂壁４１Ｅとの間に、隙間４２が形成される。
【００５６】
そして、本実施形態の収納空間４１には、冷蔵庫４０から排出される排熱Ａｈを、屋外Ｓｏに排気する冷蔵庫熱排出手段４５、前記排熱Ａｈを居室Ｌに送る冷蔵庫熱居室供給手段４６、及び前記排熱Ａｈを蓄熱手段３に供給する冷蔵庫熱利用手段４７が設けられる。
【００５７】
本実施形態の冷蔵庫熱排出手段４５は、冷蔵庫４０の前記排熱Ａｈを、屋外Ｓｏ（図１に示す）に排気する第４流路５０を含む。この第４流路５０は、一端が屋外Ｓｏに連通するとともに、他端に後壁４１Ｄで開口する排気口５０ｏが設けられる。また、排気口５０ｏは、後壁４１Ｄの上部に設けられ、かつ例えば、冷蔵庫幅方向にのびる横長矩形状に形成される。
【００５８】
このような冷蔵庫熱排出手段４５は、前記隙間４２から進入する空気Ａｃとの温度差によって上昇する前記排熱Ａｈを、第４流路５０を介して屋外Ｓｏに排出できる。従って、冷蔵庫熱排出手段４５は、例えば、居室Ｌの室温が上昇しやすい夏において、収納空間４１に熱溜りが生じるのを抑制でき、それに起因する居室Ｌの温度上昇を防ぐことができる。
【００５９】
また、第４流路５０には、屋外Ｓｏ側に向かって送風するファン（図示省略）が設けられても良い。これにより、第４流路５０は、前記排熱Ａｈを屋外Ｓｏに効率的に排出するのに役立つとともに、収納空間４１を負圧にして、前記隙間４２から比較的温度の低い居室Ｌの空気Ａｃを供給することができ、前記熱溜りの発生を効果的に防ぐことができる。
【００６０】
さらに、排気口５０ｏには、例えば、開閉可能な遮蔽手段２６が設けられるのが望ましい。この遮蔽手段２６としては、特に限定されないが、例えば、図６や図７に示したものを採用できる。
【００６１】
また、図１１に示されるように、遮蔽手段２６としては、例えば正面視において、排気口５０ｏと略同一形状をなし、かつ該排気口５０ｏを遮蔽可能な一枚のルーバ５１と、該ルーバ５１を水平軸回りに回転させる開閉装置５２とを含むものも採用できる。
【００６２】
前記開閉装置５２は、例えば、前記ルーバ５１の幅方向中心を長手方向にのびる回転軸５２Ａ、排気口５０ｏの側方に設けられる孔部５２Ｂｏに配置され、かつ回転軸５２Ａの一端に固着される第１プーリ５２Ｂ、該第１プーリ５２Ｂよりも下方に配置され、かつ水平軸回りに回転可能な第２プーリ５２Ｃ、該第１プーリ５２Ｂと該第２プーリ５２Ｃとの間に巻き掛けられるベルト５２Ｄ、及び第２プーリ５２Ｃの側部に固着されかつ使用者が把持可能なハンドル５２Ｅを含む。また、第２プーリ５２Ｃは、例えば側壁４１Ｃ（図８に示す）等に支持される。
【００６３】
このような遮蔽手段２６は、使用者がハンドル５２Ｅを把持して第２プーリ５２Ｃを回転させることにより、ベルト５２Ｄを介して第１プーリ５２Ｂが回転し、排気口５０ｏにおいてルーバ５１が開閉自在に回転できる。なお、この遮蔽手段２６も、制御手段４によって自動開閉されるものでもよい。
【００６４】
図８及び図９に示されるように、本実施形態の冷蔵庫熱居室供給手段４６は、冷蔵庫４０の前記排熱Ａｈを居室Ｌに供給する第５流路５５が設けられる。この第５流路５５は、垂壁４１Ｅの上部において、一端が収納空間４１に連通するとともに、他端が居室Ｌに連通する。また、本実施形態の第５流路５５は、例えば、正面視において、冷蔵庫幅方向にのびる横長矩形状に形成される。
【００６５】
このような冷蔵庫熱居室供給手段４６は、前記排熱Ａｈを、収納空間４１から第５流路５５を介して居室Ｌに供給できる。従って、冷蔵庫熱居室供給手段４６は、例えば、日差しが弱い冬の日中や冬の夜において、温度が低くなりがち居室Ｌを、前記排熱Ａｈによって直接暖めることができるため、省エネルギー性を向上しうる。
【００６６】
また、第５流路５５には、居室Ｌ側に向かって送風するファン（図示省略）が設けられても良く、また、例えば、図６、図７、又は図１１に示した遮蔽手段２６が設けられるのが望ましい。
【００６７】
なお、冷蔵庫熱居室供給手段４６を使用する際には、冷蔵庫熱排出手段４５の排気口５０ｏが遮蔽手段２６によって閉じられるのが望ましい。これにより、前記排熱Ａｈが、排気口５０ｏから排気されるのを抑制できるため、該排熱Ａｈを居室Ｌに効率的に供給しうる。
【００６８】
図８及び図１０に示されるように、本実施形態の冷蔵庫熱利用手段４７は、一端が収納空間４１に連通するとともに、他端が蓄熱手段３に連通する第６流路５７を含む。
【００６９】
前記第６流路５７は、収納空間４１を床材４１Ａから上方へのびる一対の筒部５８、５８、及び一端が該一対の筒部５８、５８と連通しかつ他端が蓄熱手段３（図１に示す）に連通する案内部５９を含む。
【００７０】
前記一対の筒部５８、５８は、例えば平面視において、冷蔵庫幅方向よりも冷蔵庫奥行方向に長い角筒状に形成される。また、一対の筒部５８、５８は、後壁４１Ｄ、及び一対の側壁４１Ｃ、４１Ｃに沿って上方にのび、かつ天井４１Ｂに至ることなく終端する。
【００７１】
さらに、一対の筒部５８、５８の上端には、それぞれ開口５８ｏ、５８ｏが設けられている。このような一対の筒部５８、５８は、冷蔵庫幅方向の両側、かつ後壁４１Ｄ側において、前記排熱Ａｈを、収納空間４１の上方から効率的に取り込むことができる。
【００７２】
前記案内部５９は、図５に示したサッシ熱利用手段３１の案内部３４と同様に、床材４１Ａに設けられる一対の連通口６０、６０を介して、一対の筒部５８、５８と連通する一対の第１案内部５９Ａ、５９Ａ、及び一端が連結部５９Ｊを介して該一対の第１案内部５９Ａ、５９Ａと連通し、かつ他端が蓄熱手段３（図１に示す）と連通する第２案内部５９Ｂを含む。これにより、案内部５９も、一対に筒部５８、５８に取り込まれた排熱Ａｈを、蓄熱手段３に直接供給することができる。
【００７３】
このような冷蔵庫熱利用手段４７は、例えば、居室Ｌの温度が比較的高くなる冬晴れの日において、排熱Ａｈを利用して蓄熱手段３に熱を蓄えておくことができ、省エネルギー性を向上しうるとともに、居室Ｌの温度上昇も防止できる。
【００７４】
また、案内部５９には、蓄熱手段３側に向かって送風するファンＦが設けられても良く、床材４１Ａの一対の連通口６０、６０に、例えば、図６、図７、又は図１１に示した遮蔽手段２６が設けられるのが望ましい。
【００７５】
なお、冷蔵庫熱利用手段４７を使用する際には、冷蔵庫熱排出手段４５の排気口５０ｏ、及び冷蔵庫熱居室供給手段４６の第５流路５５が、各遮蔽手段２６によって閉じられるのが望ましい。これにより、前記排熱Ａｈが、排気口５０ｏや第５流路５５から排気されるのを抑制できるため、該排熱Ａｈを蓄熱手段３に効率的に供給しうる。
【００７６】
図１２に示されるように、前記制御手段４は、例えば、１階の居室Ｌの間仕切り壁等に配置される。この制御手段４は、ＣＰＵ（中央演算装置）からなる演算部６１と、予め制御手順が記憶されている記憶部６２と、該記憶部６２から制御手順を読み込む作業用メモリ６３とを含む。
【００７７】
前記演算部６１は、温度センサー等で測定される外気の温度Ｔｏ、居室内の温度Ｔｉ、及び前記制御手順をもとに計算し、かつサッシ熱排出手段２１の供給口２２ｏ、排気口２３ｏ、サッシ熱利用手段３１の連通口３５、冷蔵庫熱排出手段４５の排気口５０ｏ、冷蔵庫熱居室供給手段４６の第５流路５５、及び冷蔵庫熱利用手段４７の連通口６０に設けられる各遮蔽手段２６の開閉を行う。
【００７８】
図１３に示されるように、前記制御手順には、第１判断処理Ｄ１〜第４判断処理Ｄ４が含まれる。
【００７９】
本実施形態の制御手段４は、外気の温度Ｔｏが２０℃より大であり（第１判断処理Ｄ１）、かつ外気の温度Ｔｏが居室内の温度Ｔｉよりも大である（第２判断処理Ｄ２）場合に、夏期モードで運転している。
【００８０】
前記夏期モードでは、サッシ熱排出手段２１の供給口２２ｏ及び排気口２３ｏを開くとともに、冷蔵庫熱排出手段４５の排気口５０ｏを開いている。これにより、夏期モードでは、サッシ熱排出手段２１及び冷蔵庫熱排出手段４５により、サッシ空間１４や収納空間４１に熱溜りが生じるのを抑制でき、それに起因する居室Ｌの温度上昇を防ぐことができる。
【００８１】
また、夏には、蓄熱手段３を使用しないため、サッシ熱利用手段３１の連通口３５、及び冷蔵庫熱利用手段４７の連通口６０を閉じている。さらに、夏には、居室Ｌを暖める必要がないため、冷蔵庫熱居室供給手段４６の第５流路５５を閉じている。これにより、サッシ空間１４の暖空気Ａｗや冷蔵庫４０の排熱Ａｈを、屋外Ｓｏに効率的に排出できる。
【００８２】
なお、サッシ熱排出手段２１及び冷蔵庫熱排出手段４５にファンＦがそれぞれ設けられる場合は、該ファンＦを併せて起動するのが望ましい。
【００８３】
また、前記制御手段４は、外気の温度Ｔｏが２０℃より大であり（第１判断処理Ｄ１）、かつ外気の温度Ｔｏが居室内の温度Ｔｉ以下である（第２判断処理Ｄ２）場合に、春・秋モードで運転している。さらに、制御手段４は、外気の温度Ｔｏが２０℃以下であり（第１判断処理Ｄ１）、かつ外気の温度Ｔｏが１５℃以上である（第３判断処理Ｄ３）場合にも、春・秋モードで運転している。
【００８４】
前記春・秋モードの上記条件では、サッシ空間１４の暖空気Ａｗの影響を受けて居室Ｌの温度が高温になることもなく、また、蓄熱手段３を使用する必要もない。このため、春・秋モードでは、制御手段４が、サッシ熱排出手段２１の供給口２２ｏ、排気口２３ｏ、サッシ熱利用手段３１の連通口３５、冷蔵庫熱排出手段４５の排気口５０ｏ、冷蔵庫熱居室供給手段４６の第５流路５５、及び冷蔵庫熱利用手段４７の連通口６０を全て閉じている。
【００８５】
また、前記制御手段４は、外気の温度Ｔｏが１５℃よりも低く（第１、第３判断処理Ｄ１、Ｄ３）、かつ居室内の温度Ｔｉが２３℃よりも大である（第４判断処理Ｄ４）場合に、冬期モード(1)で運転している。
【００８６】
前記冬期モード(1)の上記条件は、例えば、日差しが比較的強く、居室Ｌの温度が上昇しやすい冬晴れの日を想定している。このため、冬期モード(1)では、制御手段４が、サッシ熱排出手段２１の供給口２２ｏ、サッシ熱利用手段３１の連通口３５、及び冷蔵庫熱利用手段４７の連通口６０を開くことにより、サッシ熱利用手段３１及び冷蔵庫熱利用手段４７を使用している。
【００８７】
従って、冬期モード(1)では、サッシ空間１４の暖空気Ａｗや冷蔵庫４０の排熱Ａｈを利用して、蓄熱手段３に熱を蓄えておくことができる。しかも、サッシ熱利用手段３１及び冷蔵庫熱利用手段４７は、暖空気Ａｗや排熱Ａｈを、サッシ空間１４及び収納空間４１から排出できるため、居室Ｌの温度の上昇も防止できる。
【００８８】
さらに、冬期モード(1)では、制御手段４が、サッシ熱排出手段２１の排気口２３ｏ、冷蔵庫熱排出手段４５の排気口５０ｏ、及び冷蔵庫熱居室供給手段４６の第５流路５５を閉じている。これにより、サッシ空間１４の暖空気Ａｗや冷蔵庫４０の排熱Ａｈが、居室Ｌの温度上昇を防ぐことができるとともに、蓄熱手段３に効率的に供給することができる。また、サッシ熱利用手段３１及び冷蔵庫熱利用手段４７にファンＦが設けられている場合には、該ファンＦを併せて起動するのが望ましい。
【００８９】
また、前記制御手段４は、外気の温度Ｔｏが１５℃よりも低く（第１、第３判断処理Ｄ１、Ｄ３）、かつ居室内の温度Ｔｉが２３℃以下である（第４判断処理Ｄ４）場合に、冬期モード(2)で運転している。
【００９０】
前記冬期モード(2)の上記条件は、例えば、日差しが弱い冬の日や、冬の夜を想定している。このような条件では、サッシ空間１４に暖空気Ａｗが生じることがないため、サッシ熱排出手段２１の供給口２２ｏ、排気口２３ｏ、サッシ熱利用手段３１の連通口３５を閉じている。
【００９１】
また、前記冬期モード(2)において、制御手段４は、冷蔵庫熱居室供給手段４６の第５流路５５を開き、かつ冷蔵庫熱排出手段４５の排気口５０ｏ、及び冷蔵庫熱利用手段４７の連通口６０を閉じている。これにより、冬期モード(2)では、冷蔵庫熱居室供給手段４６によって、冷蔵庫４０の排熱Ａｈを利用して居室Ｌを直接暖めることができる。また、第５流路５５にファン（図示省略）が設けられている場合には、該ファンを併せて起動するのが望ましい。
【００９２】
なお、本実施形態では、制御手段４が、各遮蔽手段２６を自動で開閉をするものが例示されたが、これに限定されるものではない。例えば、制御手段４は、外気の温度Ｔｏ及び居室内の温度Ｔｉをもとに判断し、どの遮蔽手段２６を開閉すればよいかの指示をモニター等に表示のみするものでもよい。これにより、使用者は、制御手段４が表示した指示に基づいて、各遮蔽手段２６を開閉することにより、上記のような居室Ｌの温度上昇を防止することができる。従って、制御手段４の構造を簡素化することができるため、排熱処理構造の導入コストを抑制しうる。
【００９３】
以上、本発明の特に好ましい実施形態について詳述したが、本発明は図示の実施形態に限定されることなく、種々の態様に変形して実施しうる。
【符号の説明】
【００９４】
１１      二重サッシ
１２      外側サッシ
１３      内側サッシ
１４      サッシ空間
２１      サッシ熱排出手段
Ａｗ    暖空気
【図１】
2013155960.tif 000003
【図２】
2013155960.tif 000004
【図３】
2013155960.tif 000005
【図４】
2013155960.tif 000006
【図５】
2013155960.tif 000007
【図６】
2013155960.tif 000008
【図７】
2013155960.tif 000009
【図８】
2013155960.tif 000010
【図９】
2013155960.tif 000011
【図１０】
2013155960.tif 000012
【図１１】
2013155960.tif 000013
【図１２】
2013155960.tif 000014
【図１３】
2013155960.tif 000015